(57)【要約】【課題】１つのインストールパッケージでＰＣ毎に異なる設定値でインストールする方法を提供する。【解決手段】設定値が設定された個別設定テーブルファイル１００９と、マクロとインストール手順を定めたインストール作業ファイル１００３と、機器のドライバとが記憶されたインストールパッケージ１００１からドライバをパソコンにインストールする方法であって、インストール対象となるパソコンの識別子を取得し、この取得した識別子に対する設定値を個別設定テーブルファイルから取得し、インストール作業ファイル内のマクロを前記取得した設定値で置換え、このマクロ変換を行ったインストール作業ファイルの作業手順にしたがってインストールを行う。【選択図】      図１１
2004252759.tif 000002
【特許請求の範囲】
【請求項１】
設定値が設定された個別設定テーブルファイルと、マクロとインストール手順を定めたインストール作業ファイルと、機器のドライバとが記憶されたインストールパッケージから前記ドライバをパソコンにインストールする方法であって、
インストール対象となるパソコンの識別子を取得し、この取得した識別子に対する設定値を前記個別設定テーブルファイルから取得し、前記インストール作業ファイル内のマクロを前記取得した設定値で置換え、このマクロ変換を行ったインストール作業ファイルの作業手順にしたがってインストール動作を行うドライバのインストール方法。
【請求項２】
請求項１記載のドライバのインストール方法において、
前記個別設定テーブルファイルには、該当するパソコンの識別子が記憶されていて、当該パソコンへのインストール時にこの設定された識別子が検出されなかった場合に、前記個別設定テーブルファイル中のデフォルト値を前記設定値とし、このデフォルト値を設定値としたインストール作業ファイルの作業手順にしたがってインストール動作を行うドライバのインストール方法。
【請求項３】
請求項１記載のドライバのインストール方法において、
前記個別設定テーブルファイルには、該当するパソコンの識別子が記憶されていて、このパソコンの識別子として各パソコン設定されているＩＰアドレスを使用するとき、前記個別設定テーブルファイル中の該当するサブネットに割り当てられた設定値を基に、前記インストール作業ファイルの作業手順にしたがってインストール動作を行うドライバのインストール方法。
【請求項４】
マクロを設定されたインストール作業ファイルと、このファイル中のマクロを、予め設定した個別設定テーブルファイルの設定値で置換して所定のドライバのインストールを行うインストール制御プログラム。
【請求項５】
請求項４記載のインストール制御プログラムにおいて、
前記個別設定テーブルファイルには、該当するパソコンの識別子が記憶されていて、当該パソコンへのインストール時にこの設定された識別子が検出されなかった場合に、前記個別設定テーブルファイル中のデフォルト値を前記設定値として採用するインストール制御プログラム。
【請求項６】
請求項４記載のインストール制御プログラムにおいて、
前記個別設定テーブルファイルには、該当するパソコンの識別子が記憶されていて、このパソコンの識別子として各パソコン設定されているＩＰアドレスを使用するとき、前記個別設定テーブルファイル中の該当するサブネットに割り当てられた設定値を基にしてインストールするようにしたインストール制御プログラム。
【請求項７】
パソコンで読み取り可能な記録媒体であって、
請求項４乃至６の何れかに記載のインストール制御プログラムと、前記パソコンにインストールすべきドライバを含む複数のプログラムと、前記ドライバのインストールを所定の順序で実行させるインストール作業ファイルとが記憶されている記録媒体。
【請求項８】
パソコンで読み取り可能な記録媒体であって、
請求項４乃至６の何れかに記載のインストール制御プログラムと、前記パソコンにインストールすべきドライバを含む複数のプログラムと、前記ドライバのインストールを所定の順序で実行させるインストール作業ファイルとが記憶されているインストールパッケージ。
【発明の詳細な説明】
【０００１】
【産業上の利用分野】
本発明は、コンピュータで用いる機器に対応するドライバをコンピュータにインストールするインストール方法、これに用いるインストール制御プログラム及びこのプログラムを記憶した記憶媒体に関する。
【０００２】
【従来技術】
近年オフィス等では、複数のパソコン（以下「ＰＣ」と記す）を有線あるいは無線で接続したネットワークが構築されている。このようなネットワークにおいて、各パソコンからネットワーク上に設置したプリンタやスキャナなどの機器を利用する場合、それ専用のサーバを設置する場合や、ネットワーク上の複数のＰＣ（ユーザー端末）で機器を共有し、複数のＰＣから対応するサーバを経由せず、直接機器と通信して印刷を行うというようなことが行われている。ネットワーク上のＰＣはユーザー端末と記す場合がある。
【０００３】
ネットワーク上の機器を例えばプリンタとした場合のネットワーク構成を図１に示す。図１において符号１０１，１０２は複数のＰＣを示し、これらＰＣと複数のプリンタ１０３，１０４とは、ネットワーク上にネットワークケーブルやＬＡＮカード、ハブやルーターなどのネットワーク通信手段を用いて通信可能に接続されている。ネットワーク上のプリンタをＰＣで利用するためには、各ＰＣでプリンタドライバのインストール、ポートモニタのインストール、ポートの作成、プリンタオブジェクトとなる論理プリンタやプリンタアイコンの作成等の設定を行なわければならず、大変煩雑であり、プリンタやネットワークに関する知識に乏しいユーザーには難しい作業となっている。このため、これら設定作業は、プリンタやネットワークの管理者が代行して行う場合や管理者がユーザーに作業方法を説明するというようなことが多く、管理者への負荷が大きい。
【０００４】
そこで、プリンタのインストール作業を簡単にする方法がいくつか考案されている。その中の１つに、管理者がインストール作業ファイルを、ある特定のフォーマットで作成しておき、そのインストール作業ファイルと、インストール作業ファイルに書かれている手順で各ソフトをインストールするインストール制御プログラム及び各ソフトのインストールプログラムを、まとめてインストールパッケージとしてＣＤ−Ｒ等の各種記録媒体に記録しておく場合や、ネットワーク上のサーバ内に予め作成しておいた共有フォルダに保存する場合がある。インストール作業ファイルとは、人が読むのではなくプログラムが読む、どのプログラムをどのような設定でどの順番でインストールするかを書いてあるものである。ユーザーは、これらインストールパッケージが記録された記録媒体を、各自のＰＣあるいはサーバに備えられている記録媒体再生装置の１つであるＣＤドライブに挿入するだけで、あるいは共有フォルダのインストール制御プログラムを実行するだけで、プリンタの各種設定に関するプログラムのインストールを全て自動で行うという方法がある。
【０００５】
以下この方法に関する管理者とＰＣ（ユーザー端末）側でのそれぞれの作業手順について説明する。
（管理者の作業）
▲１▼．インストール作業ファイルを作成する。インストール作業ファイルは、テキストエディタ等で手書きするか、専用の編集プログラムを使って作成する。ここでは専用の編集プログラムの画面例を図６に示す。図６において、符号６０１はプリンタ名、６０２はコメント、６０３はドライバ名、６０４はプリンタ使用形態、６０５はプリンタのネットワーク上でのアドレス、６０６は設定ファイル名を入力するテキストボックスを示す。このようなテキストボックスに、各設定値となる情報を入力して、画面下部に表示されている「ＯＫ」ボタンをマウス等の操作手段で選択してクリックすると、各設定値が設定されてインストール作業ファイルが書き出される。
【０００６】
このインストール作業ファイルの一例を図５に示す。インストール作業ファイルの内容を符号５０１〜５０４の順に説明する。
５０１  “Ｎａｍｅ＝”で指定された名前のドライバをインストールする。”Ｐａｔｈ＝”で指定された場所（インストールパッケージのルートからの相対パス）にドライバのインストールプログラムが保存してあることを示す。
５０２  “Ｎａｍｅ＝”で指定された名前のポートモニタをインストールする。”Ｐａｈｔ”で指定された場所にポートモニタのインストールプログラムがある。
５０３  “Ａｄｄｒｅｓｓ＝”で指定されたアドレスのポートを作成する。
５０４“Ｎａｍｅ＝”で指定された名前のプリンタオブジェクトを作成する。”Ｃｏｍｍｅｎｔ＝”で指定されたコメントをプリンタオブジェクトのコメントとして設定する。”Ｄｅｆａｕｌｔ＝”で指定された設定値でこのプリンタオブジェクトをプリンタの使用形態となる通常使うプリンタに設定する／しないを設定する。”Ｐａｈｔ＝”で指定されたドライバ設定ファイルをドライバ設定ファイルとして使用する。
【０００７】
▲２▼．▲１▼で作成した作業ファイルと、インストール制御ファイル（機器に添付されているＣＤ−ＲＯＭやＷｅｂからダウンロードしたもの）、ドライバやユーティリティソフト（機器に添付されているＣＤ−ＲＯＭやＷｅｂからダウンロードしたもの）を、ある決められたディレクトリ構成で配置してインストールパッケージを作成する。インストールパッケージの内容を図２に示す。図２において、符号２０１はインストールパッケージを示し、このパッケージ２０１には、インストール制御プログラム２０２、インストール作業プログラム２０３、プリンタオブジェクト作成プログラム２０４、ドライバインストールプログラム２０５、ポートモニタインストールルプログラム２０６、ポート作成プログラム２０７、その他のアプリケーションインストールプログラム２０８を備えている。
【０００８】
▲３▼．▲２▼で作成したインストールパッケージ２０１を、図３，図４に示す記憶媒体としてのＣＤ−Ｒ３０１やサーバ４０１の共有フォルダ４０２にインストールパッケージ３０２，４０３としてコピーする。インストールパッケージ２０１とインストールパッケージ３０２，４０３は同一のものであり、コピーされる場所が異なるので異なる符合を付した。
（ユーザーのＰＣ上での操作）
図３に示すＣＤ−Ｒ３０１を、例えば図１のＰＣ１０１，１０２に装着されている図示しないＣＤドライブに挿入してオートランでインストールパッケージ３０２のインストール制御プログラムを実行する。または図４に示す共有フォルダ４０２上にあるインストールパッケージ４０３中のインストール制御プログラムを図４に示すクライアントＰＣ４０４から直接起動する。各インストール制御プログラムは、各ユーザーのＰＣ１０１，１０２で実行可能形式ファイルとしている。たとえばＰＣ１０１，１０２のオペレーティングシステム（以下「ＯＳ」と記す）がマイクロソフト社のＷｉｎｄｏｗｓ（登録商標）の場合には、＊．ｅｘｅファイルになっている。
【０００９】
【発明が解決しようとする課題】
しかし、以上説明した方法では、インストール作業ファイルに書き込まれた設定値が一義的に定められているので、各ＰＣ毎に変更することができないので不便である。例えば、同じ機種のプリタンがネットワーク上に複数台あり、ＰＣ毎に使用するプリンタ（アドレス）だけを変えたい場合、上記の方法でやるには、設定値としてプリタンのアドレスだけが異なるインストール作業ファイルを有するインストールパッケージを複数作り、各ＰＣにインストールする必要がある。インストールパッケージを複数作成してインストールすると、ＰＣに設けられている主記憶装置となるハードディスクの使用容量や、インストールパッケージをコピーするＣＤ−Ｒ等のメディアの無駄遣いとなる。また、ユーザーが間違えて自分のＰＣに割り当てられたものではないインストールパッケージを実行する可能性も懸念される。
本発明は、このような課題に鑑みてなされたものであり、１つのインストールパッケージでＰＣ毎に異なる設定値でインストールする方法をやそのプログラムや記憶媒体を提供することを目的とする。
【００１０】
【課題を解決するための手段】
本発明は、上記目的達成のために、設定値が設定された個別設定テーブルファイルと、マクロとインストール手順を定めたインストール作業ファイルと、機器のドライバとが記憶されたインストールパッケージから前記ドライバをパソコンにインストールする方法は、インストール対象となるパソコンの識別子を取得し、この取得した識別子に対する設定値を個別設定テーブルファイルから取得し、インストール作業ファイル内のマクロを前記取得した設定値で置換え、このマクロ変換を行ったインストール作業ファイルの作業手順にしたがってインストール動作を行うことを特徴としている。このため、１つのインストールパッケージでパソコン毎に設定を変えてドライバのインストールが行える。
【００１１】
個別設定テーブルファイルに該当するパソコンの識別子を記憶し、当該パソコンへのインストール時にこの設定された識別子が検出されなかった場合に、個別設定テーブルファイル中のデフォルト値を設定値とし、このデフォルト値を設定値としたインストール作業ファイルの作業手順にしたがってインストール動作を行ってもよい。このため、個別設定テーブル中にないパソコンでもそのデフォルト値を設定値としてドライバのインストールが行える。
【００１２】
あるいは個別設定テーブルファイルはパソコンの識別子を記憶し、このパソコンの識別子として各パソコン設定されているＩＰアドレスを使用するとき、個別設定テーブルファイル中の該当するサブネットに割り当てられた設定値を基に、インストール作業ファイルの作業手順にしたがってインストール動作を行うようにしてもよい。このようにＩＰアドレスをＰＣの識別子として使用する場合、サブネットごとに設定値を割り当ててもよい。
【００１３】
本発明は、マクロを設定されたインストール作業ファイルと、このファイル中のマクロを、予め設定した個別設定テーブルファイルの設定値で置換して所定のドライバのインストールを行うことを特徴とする。
【００１４】
個別設定テーブルファイルには、該当するパソコンの識別子が記憶されていて、当該パソコンへのインストール時にこの設定された識別子が検出されなかった場合に、個別設定テーブルファイル中のデフォルト値を前記設定値として採用すると、識別子が個別設定テーブルファイル中ない場合でも、パソコンへのドライバのインストールが実行される。
個別設定テーブルファイルには、該当するパソコンの識別子が記憶されていて、このパソコンの識別子として各パソコン設定されているＩＰアドレスを使用するとき、個別設定テーブルファイル中の該当するサブネットに割り当てられた設定値を基にしてインストールするようにしてもよい。
インストール制御プログラムの記憶形態としては記録媒体に記憶してもよいし、サーバを有する場合には、そのサーバに共有フォルダを作成し、当該フォルダ内に記憶しておいてもよい。
これら記憶媒体や共有フォルダにインストール制御プログラムを記憶する場合には、パソコンにインストールすべきドライバを含む複数のプログラムと、ドライバのインストールを所定の順序で実行させるインストール作業ファイルも同一の場所に記憶するのが好ましい。
【００１５】
【発明の実施の形態】
以下、図面を用いて本発明の実施の形態を説明する。
（第１の実施の形態）
図７は、インストール制御プログラム１００２の構成を示す。インストール制御プログラム１００２は、インストール制御部７０１、インストール作業ファイル編集部７０２、個別設定テーブルファイル解析部７０３、ＰＣ情報取得部７０４を備えている。インストール制御部７０１は、図８に示すインストール作業ファイル１００３に書き込まれている手順や設定値にしたがって、各インストールプログラムを起動して、インストールを行う機能を備えている。インストール作業ファイル編集部７０２は、マクロを個別設定値に置換するものである。個別設定テーブルファイル解析部７０３は、個別設定テーブルファイルを解析して指定されたＰＣの各個別設定を取り出す機能を備えている。ＰＣ情報取得部７０４は、ＰＣの識別情報を取得する機能を備えている。この識別情報としてはＰＣの名前、ログイン名、ＩＰアドレス等が挙げられる。
【００１６】
このような構成のインストール制御プログラム１００２によると、まず管理者が、インストール作業ファイル１００３を作成して、その中でＰＣ毎に値を変えたい設定項目に個別設定値であること表すマクロ、すなわち、ある決まったフォーマットの文字列であり、例えば、図８の符号８０３，８０４に示す＄で囲まれた文字列としての＄ＡＤＤＲＥＳＳ＄、＄ＰＲＩＮＴＥＲＮＡＭＥ＄、＄ＳＥＴＴＩＮＧＦＩＬＥ＄を、図６で説明したエディタや専用編集プログラムを使って書く。それからＰＣ毎に個別の設定値を書いた個別設定テーブルファイルを作成する。個別設定テーブルファイル１００９の例を図９に示す。
【００１７】
図８において、８０１，８０２は、図５の５０１，５０２と同一内容であるので、ここではその説明を省略する。
８０３は、“Ａｄｄｒｅｓｓ＝”に“＄ＡＤＤＲＥＳＳ＄”と言うマクロを指定して、ポートのアドレスをＰＣ毎に変えるようにしてある。
８０４は、“Ｎａｍｅ＝”に”＄ＰＲＩＮＴＥＲＮＡＭＥ＄”と言うマクロを指定して、プリンタ名をＰＣ毎に変えるようにしてある。また、“ＳｅｔｔｉｎｇＦｉｌｅＰａｈｔ＝”に”＄ＳＥＴＴＩＮＧＦＩＬＥ＄”というマクロを指定して、ドライバの設定ファイルをＰＣごとに変えるようにしてある。
【００１８】
図９において、個別設定テーブルファイル１００９は、形式が簡単で、人にもＰＣにも分かりやすいＣＳＶファイル形式にしてある。１行目の９０１にＰＣを識別するための識別子種類、それから各マクロ名を並べる。２行目以降の９０２、９０３ではＰＣ毎の設定値を並べ、各行にはＰＣの識別子、最初の行にあるマクロに対する各設定値の順で並べる。ＰＣの識別子としては、マシン名、ログイン名、ＩＰアドレスやＭＡＣアドレスなどのネットワークアドレス等が考えられる。この例ではマシン名。図９において、
９０１には、ＰＣの識別子はマシン名ということを表すＭａｎｉＮａｍｅ、それからインストール作業ファイル中で指定したマクロ名を並べてある。
９０２には、マシン名がｏｒａｎｇｅというＰＣに対する各設定値を、最初の行のマクロ名に対応するように並べてある。
９０３には、マシン名がｏｒａｎｇｅというＰＣに対する各設定値を、最初の行のマクロ名に対応するように並べてある。
【００１９】
そして管理者が以上のように作成したインストール作業ファイル１００３と個別設定テーブルファイル１００９を、各アプリインストーラ等と一緒にしてインストールパッケージを作成してＣＲ−Ｒや図示しないサーバの共有フォルダにコピーする。インストールパッケージの一例を図１０に示す。図１０に示すインストールパッケージ１００１は、インストール制御プログラム１００２、インストール作業ファイル１００３、個別設定テーブルファイル１００９とともに、図２に示す従来のインストールパッケージ２０１同様に、プリンタオブジェクト作成プログラム１００４、ドライバインストールプログラム１００５、ポートモニタインストールルプログラム１００６、ポート作成プログラム１００７、その他のアプリケーションインストールプログラム１００８を備えている。そして、各ユーザーは、ＣＤ−Ｒや共有フォルダ上のインストールパッケージ中のインストール制御プログラム１００２を起動して、ＰＣへのインストールを開始する。
【００２０】
インストール制御プログラム１００２の動作フローを図１１に示す。図１１において、ステップ１１０１では、ＰＣ情報取得部７０４がインストール対象となるＰＣの識別子を取得する。識別子としては、マシン名、ログイン名、ＩＰアドレスやＭＡＣアドレス等のネットワークアドレスなどを使用する。
ステップ１１０２では、個別設定テーブルファイル解析部７０３が個別設定テーブルファイル１００９を解析して、その中からインススールパッケージ１００１で取得したＰＣの識別子に対する設定を取得する。
ステップ１１０３では、インストール作業ファイル７０２がインストール作業ファイル１００３内の＄・・＄で括られたマクロをインストール制御プログラム１００２で取得した設定値で置換する。このときインストール作業ファイル１００３そのものを編集してしまうと、次の実行でその値が適用されてしまうので、元のファイルではなく、そのファイルをＰＣの図示しないメモリ上で編集、または別ファイル名や別フォルダにコピーしたものを編集する。
ステップ１１０４では、インストール制御部７０１がインストール作業ファイル１００３でマクロの置換を行ったインストール作業ファイルに従ってインストールを行う。
【００２１】
（第２の実施の形態）
上記のインストールパッケージ１００１を用いてインストールを実行したＰＣの識別子が個別設定テーブルファイル１００９中に見つからなかった場合にはインストールが失敗する。これは管理者がこのテーブルファイルに書き損ねた場合や、管理者が把握していないＰＣが存在するときに起こる。しかしこのような管理者が把握していないＰＣが存在する場合でもとりあえずの、デフォルトの設定でインストールできるようになっていれば便利である。また、限られた特定のＰＣだけ異なる設定で、その他のＰＣは同じ設定（デフォルト値）でインストールするというようなことができても便利である。
【００２２】
そこで、個別設定テーブルファイル中にないＰＣでもデフォルト値を設定値としてインストールできるようにする方法について説明する。この方法におけるユーザの操作は、基本的には第１の実施の形態の内容と略同じ内容となるので、異なる点を中心に説明する。この形態で用いる個別設定テーブルファイル１２００には、図１２に示すようにデフォルト値を書いておく。符号１２０１〜１２０３の行はまでは、図９の９０１〜９０３まで行と同じ内容であるので省略する。個別設定テーブルファイル１２００においては、符号１２０４の行にデフォルト値が書かれている。最初にデフォルト値であることを表すマクロ”￥ｄｅｆｕｌｔ￥”と、それ以降にマクロ名に対する設定が並べてある。
【００２３】
図１３は、個別設定テーブルファイル１２００を用いた場合のインストール制御プログラムの動作フローを示す。このフローにおいて、ステップ１３０１は、図１１のステップ１１０１と同じ内容を実行する。ステップ１３０２は、個別設定テーブル解説部７０３が個別設定テーブルファイル１２００を解析してステップ１３０１で取得したＰＣの識別子があるかないか調べる。ある場合はステップ１３０３へ進み、ない場合はステップ１３０４へ進む。ステップ１３０３では、ステップ１１０２と同じ処理が行われる。ステップ１３０４では、個別設定テーブル解説部７０３が個別設定テーブルファイル１２００を解析して、デフォルトの設定値を取得する。ステップ１３０５ではステップ１１０３と同じく、インストール作業ファイル７０２がインストール作業ファイル１００３内の＄・・＄で括られたマクロをインストール制御プログラム１００２で取得したデフォルトの設定値で置換は、ステップ１３０６に進んでステップ１１０４と同様に、インストール制御部７０１がインストール作業ファイル１００３でマクロの置換を行ったインストール作業ファイルに従ってインストールを行う。
【００２４】
（第３の実施の形態）
この形態はＩＰアドレスをＰＣの識別子として使用するとき、サブネットごとに設定値を割り当てる方法である。この方法におけるユーザーの操作は、基本的には第１の実施の形態の内容と略同じ内容となるので、異なる点を中心に説明する。この形態で用いる個別設定テーブルファイル１４００には、図１４に示すように、サブネットごとの設定値を書いておく。
【００２５】
図１４において、符号１４０１の行はＰＣの識別子がＩＰアドレスであることを示す”ＡＤＤＲＥＳＳ”が書かれてある。符号１４０２の行には  １２３．１２３．１１．２５５のサブネットに対する設定値が書き込まれている。符号１４０３の行には、１２３．１２３．２２．２５５のサブネットに対する設定値が書き込まれている。
【００２６】
図１５は、個別設定テーブルファイル１４００を用いた場合のインストール制御プログラムの動作フローを示す。このフローにおいて、ステップ１５０１では、ＰＣ情報取得部７０４がインストール対象となるＰＣのＩＰアドレスを取得する。ステップ１５０２では、個別設定テーブル解説部７０３が個別設定テーブルファイル１４００を解析して、その中からステップ１５０１で取得したＩＰアドレスが含まれるサブネットに対する設定値を取得する。
【００２７】
ステップ１５０３では、ステップ１１０３と同様、インストール作業ファイル７０２がインストール作業ファイル１００３内の＄・・＄で括られたマクロをインストール制御プログラム１００２で取得したサブネットに対する設定値で置換して、ステップ１５０４に進む。ステップ１５０４では、ステップ１１０４と同様に、インストール制御部７０１がインストール作業ファイル１００３でマクロの置換を行ったインストール作業ファイルに従ってインストールを行う。
【００２８】
各形態において、インストールパッケージ１００１は、図１６に示す記憶媒体となるＣＤ−Ｒ１５００に記憶し、インストール対象となるＰＣのＣＤドライブから各ＰＣにインストールすればよい。
【００２９】
【発明の効果】
本発明によれば、１つのインストールパッケージでパソコン毎に設定を変えてインストールできるため、ＣＤ−Ｒメディアやハードディスク等の資源を無駄に使わなくて済む。またユーザーが複数あるインストールパッケージ中から実行すべきインストールパッケージの選択をしなくてよいので、間違うことがなく、インストールミスを防止することができる。さらに、管理者が、パソコン毎の設定値を任意に細かく指定することができる。
本発明によれば、管理者が個別設定テーブルファイルに書き損ねた場合や、管理者が把握していないパソコンが存在するときでも機器に対応するドライバをインストールできる。また限られた特定のパソコンだけ異なる設定で、その他のパソコンは同じ設定でインストールするとうようなことも容易に行える。
本発明によれば、ＩＰアドレスのサブネットごとに設定値を割り当てることができる。
【図面の簡単な説明】
【図１】ネットワークの構成を示す概略図である。
【図２】従来のインストールパッケージの構成を示すブロック図である。
【図３】インストールパッケージを記憶したメディアの形態を示す図である。
【図４】インストールパッケージをサーバの共有ファイルに記憶した形態を示す図である。
【図５】従来のインストール作業ファイルの構成を示す図である。
【図６】インストール作業ファイルを作成する際の画面の構成図である。
【図７】本発明で用いるインストール制御プログラムの一形態を示すブロック図である。
【図８】本発明で用いるインストール作業ファイルの構成を示す図である。
【図９】第１の実施の形態で用いる個別設定テーブルファイルの内容を示す図である。
【図１０】本発明であるインストールパッケージの構成を示すブロック図である。
【図１１】第１の実施の形態にかかるインストール制御プログラムの動作を示すフローチャートである。
【図１２】第２の実施の形態で用いる個別設定テーブルファイルの内容を示す図である。
【図１３】第２の実施の形態にかかるインストール制御プログラムの動作を示すフローチャートである。
【図１４】第３の実施の形態で用いる個別設定テーブルファイルの内容を示す図である。
【図１５】第３の実施の形態にかかるインストール制御プログラムの動作を示すフローチャートである。
【図１６】インストール制御プログラムやインストールパッケージが記憶された記録媒体を示す図である。
【符号の説明】
１０１，１０２，４０４    パソコン
１０３，１０４  機器
１００１    インストールパッケージ
１００３    インストール作業ファイル
１００９，１２００，１４００    個別設定テーブルファイル
１６００    記憶媒体
【図１】
2004252759.tif 000003
【図２】
2004252759.tif 000004
【図３】
2004252759.tif 000005
【図４】
2004252759.tif 000006
【図５】
2004252759.tif 000007
【図６】
2004252759.tif 000008
【図７】
2004252759.tif 000009
【図８】
2004252759.tif 000010
【図９】
2004252759.tif 000011
【図１０】
2004252759.tif 000012
【図１１】
2004252759.tif 000013
【図１２】
2004252759.tif 000014
【図１３】
2004252759.tif 000015
【図１４】
2004252759.tif 000016
【図１５】
2004252759.tif 000017
【図１６】
2004252759.tif 000018